(57)【特許請求の範囲】
【請求項１】
上下方向に延びる複数の方立と、水平方向に延びる複数の無目とで形成された複数の枠内の開口部をそれぞれ、屋外側よりガラス板等の矩形のパネル部材を組付けて塞ぐとともに、隣り合うパネル部材の隙間をシーリング剤で接着シールせしめた建物のカーテンウォールにおいて、
隣り合う左右の方立と、これらと対向するパネル部材の左右の側縁には、互いに水平方向に係合する水平方向係合部材を設けるとともに、
隣り合う上下の無目と、これらと対向するパネル部材の上縁および下縁には、互いに垂直方向に係合する垂直方向係合部材を設け、
方立側の水平方向係止部材とパネル部材側の水平方向係止部材とを、パネル部材側の左右両側縁の水平方向係止部材を方立側の水平方向係止部材に左右の一方向から係合せしめる構成となし、
無目側の垂直方向係止部材とパネル部材側の垂直方向係止部材とを、パネル部材側の上下両縁の垂直方向係止部材を無目側の垂直方向係止部材に上下の一方向から係合せしめる構成となし、
上記開口部の４隅には、パネル部材の４隅と係合してパネル部材を位置決めする位置決め部材を設けたことを特徴とする建物のカーテンウォール。
【請求項２】
請求項１に記載の建物のカーテンウォールにおいて、
前記パネル部材の外周にこれを囲む枠状のフレーム部材を設け、
前記フレーム部材の左右の両側枠部に前記パネル部材側の水平方向係止部材を設け、
前記フレーム部材の上枠部および下枠部に前記パネル部材側の垂直方向係止部材を設けた建物のカーテンウォール。
【請求項３】
請求項１または２のいずれかに記載の建物のカーテンウォールにおいて、
方立側又はパネル部材側のいずれか一方の前記水平方向係止部材を左右の一方向に向けて開口する断面ほぼコ字状に形成するとともに、他方の水平方向係止部材として前記一方の水平方向係止部材内に嵌入する突出部を形成し、
無目側又はパネル部材側のいずれか一方の前記垂直方向係止部材を上下の一方向に向けて開口する断面ほぼコ字状に形成するとともに、他方の垂直方向係止部材として前記一方の垂直方向係止部材内に嵌入する突出部を形成した建物のカーテンウォール。
【請求項４】
請求項１ないし３のいずれかに記載の建物のカーテンウォールにおいて、
前記開口部の４隅にはそれぞれ前記位置決め部材として、垂直の壁面と水平の壁面とを備えた断面Ｌ字形をなし、かつ前記垂直の壁面および前記水平の壁面の屋内側の端縁間を閉じる内壁面を備えた金具を設けるとともに、
前記パネル部材の４隅にはそれぞれ前記位置決め部材として、垂直の壁面と水平の壁面とを備えた断面Ｌ字形をなし、かつ前記垂直の壁面および前記水平の壁面の屋内側の端縁間を閉じる内壁面を備えた金具を設け、
開口部側の金具およびパネル部材側の金具を互いに重ね合わせるように配置し、
かつ、開口部側の金具又はパネル部材側の金具のいずれか一方の金具に、前記垂直の壁面と水平の壁面および内壁面を貫通して突出量を調整可能とした複数のピン部材を設けて、これらのピン部材により開口部側およびパネル部材側の両金具の間隙を微調整してパネル部材の位置決めを行い、開口部側およびパネル部材側の両金具を連結ネジ部材によりネジ締め固定せしめる建物のカーテンウォール。
【請求項５】
請求項２ないし４のいずれかに記載の建物のカーテンウォールにおいて、
前記パネル部材を、相対向する２枚のガラス板の間に中空層を設けて２重構造の断熱性の複合ガラス板で構成し、
屋内側のガラス板の外周を前記フレーム部材で囲む構成とした建物のカーテンウォール。
【発明の詳細な説明】
【技術分野】
【０００１】
本発明は建物の外壁面を形成する建物のカーテンウォールに関するものである。
【背景技術】
【０００２】
建物の外壁面を形成するカーテンウォールは、図５に示すように、上下方向に延びる縦桟としての方立１と、水平方向に延びる横桟としての無目２とを交差させて、これらで囲まれた開口部をガラス板や化粧板等のパネル部材３を組込んで塞いだ構造とされている。この種のカーテンウォールとして、外壁面の殆どをガラス板からなるパネル部材で構成し、方立１および無目２を露出させないようにするＳＳＧ式と呼ばれる構造のものがある(例えば、下記特許文献１，２，３)。
【０００３】
図８および図９は、図５のＨ−Ｈ線、Ｓ−Ｓ線に沿う位置での従来の代表的なＳＳＧ式のカーテンウォールの断面を示す。図８に示すように、２重構造のガラス板からなるパネル部材３には左右の側縁に沿う裏面外周に、断面ほぼコ字形で、水平方向にパネル部材３の裏面中心側へ向けて開口する係止溝を備えた係止部材８０ａ，８０ｂが接着固定してある。一方、方立１には、基端が方立１に締結され、先端が前記係止部材８０ａ，８０ｂの係止溝の開口方向とは逆方向に屈折する支持部材８２ａ，８２ｂが設けられている。
そしてパネル部材３の左右の側縁は、係止部材８０ａ，８０ｂの裏面（屋内面）を、クッション材８１，８１を介して方立１の屋外面１０に当接せしめるとともに、係止部材８０ａ，８０ｂの係止溝に支持部材８２ａ，８２ｂの先端８２１，８２１を嵌入せしめて方立１に組付けるとともに、左右に隣り合うパネル部材３，３の側縁間の隙間にシーリング剤８３を充填して両パネル部材３，３を接着シールしている。
【０００４】
図９に示すように、パネル部材３の上縁および下縁でも、前記側縁と同様に、断面ほぼコ字形で上下方向にパネル部材３の裏面中心側へ向けて開口する係止部材９０ａ，９０ｂを、クッション材９１を介して無目２の屋外面２０に当接せしめるとともに、係止部材９０に、基端が無目２に締結された支持部材９２の先端９２１を嵌入せしめてパネル部材３の上縁および下縁を無目２に組付け、上下に隣り合うパネル部材３，３の上縁下縁間の隙間にシーリング剤９３を充填して両パネル部材３，３を接着シールしている。尚、図の９５は無目２から屋外方向に突出してパネル部材３を下から支える張出部である。張出部９５はシーリング剤９３で上下のパネル部材３，３の上縁および下縁と接着されている。
【先行技術文献】
【特許文献】
【０００５】
【特許文献１】特開昭６０−２１２５４７号公報
【特許文献２】特開平５−１７９７３８号公報
【特許文献３】特開平８−１５１７１６号公報
【発明の概要】
【発明が解決しようとする課題】
【０００６】
ところでこの種のカーテンウォールは、風や地震等による建物の振動の影響を受けやすい。この場合、カーテンウォールのパネル部材３は、建物の躯体とは固有振動数が異なり、更には各パネル部材間でも固有振動数が異なるため、個別にロッキングやスエーといった左右動および上下動が生じする。
この問題に関して前記従来の構造では、シーリング剤８３を挟んで隣り合うパネル部材３，３の両側縁の係止部材８０ａ，８０ｂの方立１への係止方向が互いに逆方向であり、かつシーリング剤９３を挟んで隣り合うパネル部材３，３の下縁と上縁の係止部材９０ａ，９０ｂの無目２への係止方向も互いに逆方向のため、左右動や上下動で隣り合うパネル部材３，３が、左右方向および上下方向に離れる方向に変位するときは、係止部材８０ａ，８０ｂ間、また係止部材９０ａ，９０ｂ間には互いに係合する方向に力が作用して相対移動の範囲は規制される。
しかしながら、隣り合うパネル部材３，３が、左右方向および上下方向に近づく方向に変位するときは、係止部材８０ａ，８０ｂ間、および係止部材９０ａ，９０ｂ間には変位を規制する力は作用しないから、変位によりシーリング剤８３，９３が潰れ変形して痛むこととなり、更には変位量が大きいとシーリング剤８３，９３を介して隣り合うパネル部材３，３同士が衝突し、両者に強い衝撃が作用してパネル部材３，３が破損するおそれがあった。
また左右動や上下動で隣り合うパネル部材３の相対変位が大きいとパネル部材の位置ずれで、ガラス板からなるカーテンウォールの建物の外壁面に映り込む外景のガラス映像に歪みが生じて建物の外観見栄えを損ねる問題があった。
本発明は、これらの問題に着目し、左右上下動による隣り合うパネル部材の相対変位を抑えてパネル部材間のシーリング剤やパネル部材の破損と言ったカーテンウォールの傷みを軽減することができ、かつ建物の外観見栄えの良好な建物のカーテンウォールを提供することである。
【課題を解決するための手段】
【０００７】
請求項１に記載の発明は、上下方向に延びる複数の方立と、水平方向に延びる複数の無目とで形成された複数の枠内の開口部をそれぞれ、屋外側よりガラス板等の矩形のパネル部材を組付けて塞ぐとともに、隣り合うパネル部材の隙間をシーリング剤で接着シールせしめた建物のカーテンウォールにおいて、
隣り合う左右の方立と、これらと対向するパネル部材の左右の側縁には、互いに水平方向に係合する水平方向係合部材を設けるとともに、
隣り合う上下の無目と、これらと対向するパネル部材の上縁および下縁には、互いに垂直方向に係合する垂直方向係合部材を設け、
方立側の水平方向係止部材とパネル部材側の水平方向係止部材とを、パネル部材側の左右両側縁の水平方向係止部材を方立側の水平方向係止部材に左右の一方向から係合せしめる構成となし、
無目側の垂直方向係止部材とパネル部材側の垂直方向係止部材とを、パネル部材側の上下両縁の垂直方向係止部材を無目側の垂直方向係止部材に上下の一方向から係合せしめる構成となし、
上記開口部の４隅には、パネル部材の４隅と係合してパネル部材を位置決めする位置決め部材を設ける。
【０００８】
パネル部材の左右の側縁の方立への係止方向が同一方向で、かつ左右隣り合うパネル部材の方立への係止方向が同一方向となるので、両パネル部材にこれらが互いに左右に近づく方向に変位する力が作用しても、一方のパネル部材の方立への係止方向が変位方向に対して順方向となるので、該パネル部材の変位が規制され、両パネル部材間の変位量を半減できる。同様に、上下に隣り合うパネル部材が上下方向に近づく方向に変位する場合も両パネル間の変位量を半減できる。更にパネル部材の４隅を位置決め部材により方立と無目とからなる開口部の４隅に位置決めしたので、前記パネル部材間の変位量を半減する効果と相まって隣り合うパネル部材の左右方向、上下方向の変位を効果的に抑えることができ、もってパネル部材間のシーリング剤の潰れ変形やパネル部材の破損といったカーテンウォールの傷みを防ぐとともに、パネル部材の位置ずれによるガラス映像の歪みを防いで建物の外観見栄えよくできる。
【０００９】
請求項２に記載の発明は、請求項１に記載の建物のカーテンウォールにおいて、
前記パネル部材の外周にこれを囲む枠状のフレーム部材を設け、
前記フレーム部材の左右の両側枠部に前パネル部材側の記水平方向係止部材を設け、
前記フレーム部材の上枠部および下枠部に前記パネル部材側の垂直方向係止部材を設ける。
【００１０】
フレーム部材によりパネル部材側の水平方向係止部材および垂直方向係止部材を好適にパネル部材に設置することができる。特にガラス板からなるパネル部材に有効である。
【００１１】
請求項３に記載の発明は、請求項１または２のいずれかに記載の建物のカーテンウォールにおいて、
方立側又はパネル部材側のいずれか一方の前記水平方向係止部材を左右の一方向に向けて開口する断面ほぼコ字状に形成するとともに、他方の水平方向係止部材として前記一方の水平方向係止部材内に嵌入する突出部を形成し、
無目側又はパネル部材側のいずれか一方の前記垂直方向係止部材を上下の一方向に向けて開口する断面ほぼコ字状に形成するとともに、他方の垂直方向係止部材として前記一方の垂直方向係止部材内に嵌入する突出部を形成する。
【００１２】
水平方向係止部材および垂直方向係止部材を断面ほぼコ字状をなす部材と突出部を有する部材とで構成したので、パネル部材の左右の側縁および上下縁を方立および無目に好適に係止することができる。
【００１３】
請求項４に記載の発明は、請求項１ないし３のいずれかに記載の建物のカーテンウォールにおいて、
前記開口部の４隅にはそれぞれ前記位置決め部材として、垂直の壁面と水平の壁面とを備えた断面Ｌ字形をなし、かつ前記垂直の壁面および前記水平の壁面の屋内側の端縁間を閉じる内壁面を備えた金具を設けるとともに、
前記パネル部材の４隅にはそれぞれ前記位置決め部材として、垂直の壁面と水平の壁面とを備えた断面Ｌ字形をなし、かつ前記垂直の壁面および前記水平の壁面の屋内側の端縁間を閉じる内壁面を備えた金具を設け、
開口部側の金具およびパネル部材側の金具を互いに重ね合わせるように配置し、
かつ、開口部側の金具又はパネル部材側の金具のいずれか一方の金具に、前記垂直の壁面と水平の壁面および内壁面を貫通して突出量を調整可能とした複数のピン部材を設けて、これらのピン部材により開口部側およびパネル部材側の両金具の間隙を微調整してパネル部材の位置決めを行い、開口部側およびパネル部材側の両金具を連結ネジ部材によりネジ締め固定せしめる。
【００１４】
開口部の４隅に設けた位置決め部材に対してパネル部材の４隅に設けた位置決め部材を上下、左右かつ屋内外方向に移動調整してパネル部材を作業性容易に位置決め調整することができ、これにより各パネル部材の外面を揃え、建物の外壁面に映り込むガラス映像の歪みをなくして外観見栄えを良好にできる。
【００１５】
請求項５に記載の発明は、請求項２ないし４のいずれかに記載の建物のカーテンウォールにおいて、
前記パネル部材を、相対向する２枚のガラス板の間に中空層を設けて２重構造の断熱性の複合ガラス板で構成し、
屋内側のガラス板の外周を前記フレーム部材で囲む構成とする。
【００１６】
方立や無目を露見させないカーテンウォールのパネル部材として好適である。
【図面の簡単な説明】
【００１７】
【図１】本発明を適用したカーテンウォールを示す図５のＨ−Ｈ線に沿う位置での断面図である。
【図２】図５のＳ−Ｓ線に沿う位置での前記カーテンウォールの断面図である。
【図３】前記カーテンウォールを図２の白矢印III方向に見た要部拡大図である。
【図４】本発明に用いる金具を示す要部斜視図である。
【図５】カーテンウォールの正面図である。
【図６】本発明を適用した他のカーテンウォールを示すもので、図１に対応する断面図である。
【図７】前記他のカーテンウォールの図２に対応する断面図である。
【図８】従来のカーテンウォールの図５のＨ−Ｈ線に沿う位置での断面図である。
【図９】従来のカーテンウォールの図５のＳ−Ｓ線に沿う位置での断面図である。
【発明を実施するための形態】
【００１８】
本発明のカーテンウォールは、図５に示すように方立１が左右方向に所定の間隔をおいて複数設置されており、相隣れる左右の方立１間に無目２が水平方向に設置され、かつ上下に所定の間隔を置いて複数設けられている。方立１および無目２は木材で構成されている。そして格子状に組まれた方立１と無目２とで囲まれた開口部Ｆを塞ぐようにパネル部材たる複合ガラス板３が組付けてある。
【００１９】
本発明のカーテンウォールの基本構成は、図１に示すように、方立１の屋外側の端面１０に、クッション材４Ａを介して複合ガラス板３の屋内面外周を当接せしめ、方立１の端面１０に設けられた水平方向係止部材を構成する水平支持具５Ａに、同じく複合ガラス板３に設けられた水平方向係止手段を構成する水平係止具５Ｂを係止するとともに、複合ガラス板３の４隅を方立１と無目２とで囲まれた開口部Ｆの４隅に位置決め部材７Ａ，７Ｂにより位置決めし、連結してある。そして左右に隣り合う複合ガラス板３の両側縁はシーリング剤４Ｂで接着シールしてある。尚、無目２側での基本構成も方立１側とほぼ同じで、垂直方向係止部材を構成する垂直支持具６Ａおよび垂直係止具６Ｂを用いる（図２参照）。
【００２０】
図１に示すように、方立１には、屋外側の端面１０の左右の両側端にそれぞれクッション部材４Ａ，４Ａが設けてある。各クッション材４Ａはゴム等の断面中空構造をなす細幅の長尺体で、方立１に沿って延設してある。クッション材４Ａは脚状の基端を方立１の端面１０に設けた取付溝に圧入して取付けてある。尚、左側のクッション材４Ａは方立１とその左側の開口部Ｆに組付ける左側の複合ガラス板３との間をシールし、右側のクッション材４Ａは方立１とその右側の複合ガラス板３との間をシールする。
【００２１】
方立１の端面１０には左右中央位置に水平支持具５Ａが設けてある。水平支持具５Ａは長尺なアルミニウム製の押出成形品で全長にわたって同一断面構造をなす。水平支持具５Ａは板状のベースを前記端面１０に重ね合わせてネジ締め固定してあり、方立１に沿って垂直に延設してある。そして水平支持具５Ａには前記ベースの左右の両端に沿ってそれぞれ、左右の一方の方向(図例では左向き)へ向けて開口する断面ほぼコ字状の左向き支持部５１，５１（特許請求の範囲に記載の一方の水平方向係止部材に相当する）を備えている。各左向き支持部５１は前記ベースを重合した方立１の端面１０から屋外側へ突出するように設けてあり、係止溝を形成している。
【００２２】
複合ガラス板３は、相対向する２枚の耐熱性を有するガラス板３Ａ，３Ｂがスペーサ３５を介して結合され、ガラス板３Ａ，３Ｂ間に中空層３６を備えた二重構造である。複合ガラス板３は、屋内側のガラス板３Ｂが屋外側のガラス板３Ａよりもひとまわり小さくしてあり、その分、屋内側のガラス板３Ｂには、外周面および屋内側の周縁に沿って枠状の木製のフレーム部材３Ｃが接着剤により固着してある。尚、フレーム部材３Ｃは屋内側に張り出すように設けてある。
【００２３】
複合ガラス板３の左右の側縁にはフレーム部材３Ｃの左右の側枠部３０，３１にはそれぞれ、方立１の前記左向き支持部５１に対向する右向き係止部(特許請求の範囲に記載の他方の水平方向係止部材に相当する)５２を有する水平係止具５Ｂ，５Ｂが設けてある。各水平係止具５Ｂは長尺なアルミニウム製の押出成形品で全長にわたって同一断面構造をなす。
【００２４】
左側枠部３０の水平係止具５Ｂは、ベースを左側枠部３０の外周側面に重ね合わせてネジ締め固定されている。そして、前記ベースから一連に屋内側へ張り出し、その先端縁から屈曲して右向きの断面ほぼＬ字状をなす突出部からなる右向き係止部５２が形成してある。同様に、右側枠部３１の水平係止具５Ｂは、ベースを右側枠部３１の外周側面に重ね合わせてネジ締め固定され、屋内側へ張り出すように、右方向へ向けて断面ほぼＬ字状をなす突出部からなる右向き係止部５２が形成してある。
【００２５】
複合ガラス板３は、フレーム部材３Ｃの左側枠部３０および右側枠部３１の屋内面をそれぞれ、これらと対向する方立１のクッション材４Ａに圧接せしめるとともに、複合ガラス板３を右方向へ移動させて、両側枠部３０，３１の各右向き係止部５２，５２を、方立１の左向き支持部５１，５１に右方向に嵌入係止してある。この場合、右向き係止部５２はその突出部の先端を左向き支持部５１の係止溝に底着きさせる。そして左向き支持部５１の溝幅は右向き係止部５２の突出部の厚みに対して若干幅広であり、両者５１，５２の係止状態において複合ガラス板３の左右の両側縁は屋内外方向に若干移動可能としてある。
【００２６】
複合ガラス板３の左右の両側縁は、フレーム部材３Ｃの左右の両側枠部３０，３１を方立１に係止することで組付けられ、両側枠部３０，３１の両隅が位置決め部材７Ａ，７Ｂにより方立１の両隅に連結してある。また左右隣り合う複合パネル板３，３は左側枠部３０と右側枠部３１とを緩衝材等を介して対向せしめ、両側枠部３０，３１の間隙にシーリング剤４Ｂを充填して両者を連結するとともに両者間をシールしてある。緩衝部材は弾性を有するゴムまた合成樹脂製であり、シールリング剤は接着後も弾性を有する。尚、前記位置決め部材７Ａ，７Ｂについては後で説明する。
【００２７】
次に、複合ガラス板３の上縁および下縁の無目２への組付けを説明する。図２に示すように、無目２の屋外側の端面２０には左右の両端に方立１と同様にクッション材４Ａが設けてある。また前記端面２０の幅方向中央には垂直支持具６Ａが設けてある。垂直支持具６Ａは前記水平支持具５Ａと同一部材が用いられる。垂直支持具６Ａはベースを無目２の端面２０に重ね合わせてネジ締めして水平姿勢に設けてある。そして垂直支持具６Ａには上端および下端に沿ってそれぞれ、上方へ向けて開口する断面ほぼ上向きコ字状の上向き支持部(特許請求の範囲に記載の一方の垂直方向係止部材に相当する)６１，６１が形成してある。
【００２８】
無目２の前記上向き支持部６１，６１に対向して、複合ガラス板３の上縁および下縁には、フレーム部材３Ｃの上枠部３２および下枠部３３にそれぞれ、下向き係止部(特許請求の範囲に記載の他方の垂直方向係止部材に相当する)６２を有する垂直係止具６Ｂが設けてある。
上枠部３２の垂直係止具６Ｂは前記左側枠部３０の水平係止具５Ｂと同一部材が用いられ、ベースを上枠部３０の上面に重ね合わせてネジ締め固定され、前記上面より屋内側へ突出し、その先端縁から下方向へ屈曲して断面ほぼ下向きＬ字状をなす突出部からなる下向き係止部５２が形成してある。
下枠部３３の垂直係止具６Ｂは前記右側枠部３１の水平係止具５Ｂと同一部材が用いられ、ベースが下枠部３１の下面に重ね合わせてネジ締め固定され、前記下面より屋内側へ突出するように、断面ほぼ下向きＬ字状をなす突出部からなる下向き係止部６２が設けてある。
【００２９】
複合ガラス板３の上縁および下縁は、フレーム部材３Ｃの上枠部３２および下枠部３３の屋内面をそれぞれ、これらと対向する無目２のクッション材４Ａに圧接せしめるとともに、複合ガラス板３を下方へ移動させて、上枠部３２および下枠部３３の各下向き係止部６２，６２を、無目２の上向き支持部６１，６１に上方より下方へ嵌入係止してある。この場合、下向き係止部５２はその突出部の先端を上向き支持部５１の係止溝に底着きさせる。そして上向き支持部５１の溝幅は下向き係止部５２の突出部の厚みに対して若干幅広であり、両者５１，５２の係止状態において複合ガラス板３の左右の両側縁は屋内外方向に若干移動可能としてある。
【００３０】
複合ガラス板３の上縁および下縁は、フレーム部材３Ｃの上枠部３２および下枠部３３を無目２に係止することで組み付けられ、両枠部３２，３３の両隅が位置決め部材７Ａ，７Ｂにより無目２の両隅に連結してある。また上下隣り合う複合パネル板３，３は上枠部３２と下枠部３３とを緩衝材等を介して対向せしめ、両枠部３２，３３の間隙にシーリング剤４Ｂを充填して両者を連結するとともに両者間をシールしてある。
【００３１】
図３、図４に基づいて前記位置決め部材７Ａ，７Ｂについて説明する。方立１および無目２からなる開口部Ｆの隅角には位置決め部材たる第１の金具７Ａが設けてあり、複合ガラス板３の隅角には位置決め部材たる第２の金具７Ｂが設けてある。尚、ここでは屋内側から見た前記開口部Ｆの右下隅角と複合ガラス板３の右下隅角とを連結する構造を中心に説明する。
【００３２】
第１の金具７Ａは肉厚の金属板からなり、方立１の側面に沿う垂直壁面７０と、無目２の上面に沿う水平壁面７１とで断面ほぼＬ字状をなし、かつ垂直壁面７０および水平壁面７１の屋内側の端縁間をほぼ直角三角形状の内壁面７２により繋いで、前記端縁間が閉じてある。そして第１の金具７Ａは、垂直壁面７０の複数箇所を方立１に重ね合わせてネジ締めするとともに、水平壁面７１の複数箇所を無目２に重ね合わせてネジ締めして開口部Ｆの前記隅角に固定してある。
【００３３】
また第１の金具７Ａには内壁面７２に、これに設けられたネジ穴に屋内側より螺合し、かつ貫通せしめて屋内外方向に進退可能とした第１の屋内外調整ネジ部材７６３と、内壁面７２に設けられた貫通穴に屋内側より貫通して屋外方向に進出せしめた第２の屋内外調整ネジ部材７６４とが設けてある。
【００３４】
第２の金具７Ｂは、第１の金具７Ａとほぼ同形に形成してあり、フレーム部材３Ｃの側枠部３０に沿う垂直壁面７３と、下枠部３３の上面に沿う水平壁面７４とで断面Ｌ字状をなし、かつ垂直壁面７３および水平壁面７４の屋内側の端縁間を繋ぐほぼ直角三角形状の内壁面７５を備えている。そして第２の金具７Ｂは、垂直壁面７３の複数箇所を側枠部３０の内側面に重ね合わせてネジ締めするとともに、水平壁面７４の複数箇所を下枠部３３の上面に重ね合わせてネジ締めして複合ガラス板３の前記隅角にフレーム部材３Ｃよりも屋内側に張り出すように固定してある。
【００３５】
第２の金具Ｂには、垂直壁面７３に、これに設けられたネジ穴に金具の内側より螺合し、かつ貫通せしめて左右方向に進退可能とした左右調整ネジ部材７６１が設けてある。また、水平壁面７４には、これに設けられたネジ穴に金具の内側から螺合し、かつ貫通せしめて上下方向に進退可能とした上下調整ネジ部材７６２が設けてある。更に内壁面７５には、第１の金具７Ａの第２の屋内外調整ネジ部材７６４に対応するネジ穴が設けてある。尚、第１、第２の屋内外調整ネジ部材７６３，７６４、左右調整ネジ部材７６１および上下調整ネジ部材７６２は特許請求の範囲に記載のピン部材に相当する。
【００３６】
このように構成した位置決め部材７Ａ，７Ｂは、複合ガラス板３を方立１および無目２に組付けることにより、第１および第２の金具７Ａ，７Ｂが重ね合わさるように配置される。即ち第２の金具７Ｂが第１の金具７Ａの内部に位置し、第１および第２の金具７Ａ，７Ｂの垂直壁面７０，７３同士、水平壁面７１，７４同士および内壁面７２，７５同士が間隔をおいて互いに対向する。そして、第２の金具７Ｂは、その垂直壁面７３の左右調整ネジ部材７６１の先端を第１の金具７Ａの垂直壁面７０に突き当てるとともに、水平壁面７４の上下調整ネジ部材７６２の先端を第１の金具７Ａの水平壁面７１に突き当て、第１の金具７Ａにより左右方向および上下方向に支えられている。
更に第２の金具７Ｂは、図１ないし図４に示すように、その内壁面７５に第１の金具７Ａの内壁面７２の第１の屋内外調整ネジ部材７６３の先端を突き当てるとともに、ネジ穴７６５に前記内壁面７２の第２の屋内外調整ネジ部材７６４の先端を螺合してあり、第１の金具７Ａにより屋内外方向に支えられている。同様に複合ガラス板３の他の隅角においても、第２の金具７Ｂが第１の金具７Ａに支えられる。
【００３７】
そして、両金具７Ａ，７Ｂにより４隅が支えられた複合ガラス板３は、左右調整ネジ部材７６１をネジ回してその突出量を変え、第１および第２の金具７Ａ，７Ｂの垂直壁面７０，７３間の間隔を変化させることで左右方向の位置調整が可能である。この場合、複合ガラス板３を移動させたい方向の隅角の左右調整ネジ部材７６１を緩めて金具７Ｂの内側へ後退させておき、反対側の左右調整ネジ部材７６１を締め込むことで該ネジ部材７６１の押し出しにより複合ガラス板３を左右方向に移動させる。
【００３８】
同様に、上下調整ネジ部材７６２により第１および第２の金具７Ａ，７Ｂの水平壁面７１，７４間の間隔を変化させることで上下方向の位置調整が可能である。この場合も移動させたい方向の隅角の上下調整ネジ部材７６２を緩めて金具７Ｂの内側へ後退させておき、反対側の上下調整ネジ部材７６２を締め込むことで該ネジ部材７６２の押し出しにより上下方向に移動させる。
【００３９】
更に第１および第２の屋内外調整ネジ部材７６３，７６４により第１および第２の位置決め部材７Ａ，７Ｂの内壁面７２，７５間の間隔を変化させることで屋内外方向の位置調整が可能である。この場合、屋外側への移動は第２の屋内外調整ネジ部材７６４を緩めて屋内側へ後退させておき、第１の金具７Ａの内壁面７２に螺合した第１の屋内外調整ネジ部材７６３を締め込むことで第２の金具７Ｂを屋外側へ押し出し移動させる。一方、屋内側への移動は第１の屋内外調整ネジ部材７６３を緩めて屋内側へ後退させておき、第２の金具７Ｂの内壁面７５に螺合した第２の屋内外調整ネジ部材７６４を締め込むことでネジ部材７６４がネジ軸の役割をなし、第２の金具７Ｂを屋内側へ引き込み移動させる。複合ガラス板３は４隅を個別に屋内外方向に位置調整することでガラス面の角度が変えられる。
【００４０】
このようにして複合ガラス板３の位置を調整した後、第１の金具部材７Ａの内壁面７２と第２の金具７Ｂの内壁面７５とを、両内壁面７２，７５を貫通するようにタッピングスクリュウ（連結ネジ部材）７７を締め込んで、両金具７Ａ，７Ｂが互いに連結固定してある。
【００４１】
本実施形態によれば、複合ガラス板３の左右の側縁３０，３１を方立１側に左右方向の同一方向(図例では左から右方向)に係止するようになし、かつ左右に隣り合う複数の複合ガラス板３の係止方向を同じにしたことと、更に複合ガラス板３の上縁３２および下縁３３を無目２側に上下方向の同一方向(図例では上から下方向)に係止するようになし、かつ上下に隣り合う複数の複合ガラス板３の係止方向を同じにしたことにより、建物の振動等の影響による複合ガラス板３の左右動、上下動に対して、次のような作用効果を奏する。
例えば、左右動により左右隣合う複合ガラス板３，３に互いに両者を近づける方向の力が作用すると、一方の複合ガラス板３ではこれに作用する力の作用方向が支持部５１よび係止部５２の係止方向と一致するので、該複合ガラス板３の移動は規制され、その分、近づく方向に相対移動しようとする両ガラス板３，３間の変位量を半減することができる。
同様に、上下に隣り合う複合ガラス板３，３においても、上下動による両ガラス板３，３間の互いに近づく方向への変位量を半減することができる。
従って従来のように、シーリング剤４Ｂが潰れて痛むといった不具合、強い衝撃によりガラス板３が割れるといった不具合を防ぐことができる。
【００４２】
この他に、左右隣合う複合ガラス板３，３間および上下隣り合う複合ガラス板３，３間における、互いに両者を離間させる方向の力に対しても、両ガラス板３，３間の変位量を半減できる。
また、左右隣り合う複合ガラス板３，３にともに左右同じ方向への力が作用したときには、力の作用方向が支持部５１および係止部５２の係止方向と同じであれば両複合ガラス板３、３の前記移動は規制され、両複合ガラス板３，３間の間隙に変化は生じない。また力の作用方向が反係止方向のときには両複合ガラス板３，３は規制はされず、両複合ガラス板３，３間の間隙に変化は生じない。
上下隣り合う複合ガラス板３，３間においても上下同方向の力に対して、両複合ガラス板３，３間の間隙に変化は生じない。
更には、各複合ガラス板３は４隅を位置決め部材７Ａ，７Ｂにより方立１および無目２と連結したので、複合ガラス板３の左右動、上下動を抑える効果が強化される。
このように左右動、上下動に対して、総合的に、隣り合う複合ガラス板３，３間の変位を抑制し、シーリング剤４Ｂやガラス板３の不具合をなくしてカーテンウォールの傷みを抑えることができる。
【００４３】
また複合ガラス板３は４隅の位置決め部材７Ａ，７Ｂにより、左右、上下および屋内外方向に位置調整可能としたので、複数の複合ガラス板３の表面(屋外面)の向きや位置を作業性容易に均一でき、これらに映り込む外景のガラス映像の歪みを解消して、建物の外観見栄えを良好にできる。
更に、建物の経年変化でガラス映像の歪みが生じても、各複合ガラス板３の表面の向きや位置を容易に再調整することができ、好適に前記歪みを解消することができる。この場合、両位置決め部材７Ａ，７Ｂを締結するタッピングスクリュ７７を抜いて位置調整を行い、調整後にタッピングスクリュ７７を締結する。
【００４４】
複合ガラス板３の位置調整を多数回行うと、位置決め部材Ａ，７Ｂの各内壁面７２，７５にタッピングスクリュ７７を締結する位置が無くなるおそれがある。そこで両位置決め部材７Ａ，７Ｂを連結する際に、位置決め部材７Ｂの内壁面７５にネジ穴を設けておき、これに位置決め部材７Ａの内壁面７２を貫通するネジ部材を締め込み、該締め込みと第１の屋内外調整ネジ部材７６３の内壁面７５への突き当てを利用して両内壁面７２，７５を連結するようにしてもよい。この場合、位置決め部材７Ａの内壁面７２には大型の貫通穴を設け、貫通せしめたネジ部材を上下左右方向に移動可能とし、かつネジ部材には前記貫通穴の周囲に当接する大型ワッシャを設ける。
【００４５】
図６、図７は本発明の他の実施形態のカーテンウォールを示し、図６は図１に対応する断面図、図７は図２に対応する断面図である。本実施形態のカーテンウォールの基本構造は先の実施形態のそれとほぼ同じで、以下、相違点を中心に説明し、図においては同一部材を同一符号で示し、それらの説明を省略する。
図６、図７に示すように、本実施形態の複合ガラス板３には、屋内側のガラス板３Ｂの外周に、アルミニウム製の押出成形品からなる中空構造のフレーム部材３Ｄが設けてある。フレーム部材３Ｄは屋内外方向の幅が小さくしてあり、屋内側のガラス板３Ｂから屋内側へ出ないように設けてある。
【００４６】
図６に示すフレーム部材３Ｄの左右の両側枠部３０，３１には、それらの屋内面にそれぞれ、方立１に設けられた水平支持具５Ａの左向き支持部５１に対応する右向き係止部５２が一体に形成してある。右向き係止部５２は前記屋内面から屋内側かつ右方向に向けて断面ほぼ右向きＬ字状をなす突出部で構成してある。
【００４７】
一方、図７に示すフレーム部材３Ｄの上下の両枠部３２，３３にはそれらの屋内面にそれぞれ、無目２に設けられた垂直支持具６Ａの上向き支持部６１に対応する下向き係止部６２が一体形成してある。下向き係止部６２は前記屋内側面から屋内側かつ下方向に向けて断面ほぼ下向きＬ字状をなす突出部で構成してある。
【００４８】
そして複合ガラス板３は屋内側のガラス板３Ｂの外周をクッション材４Ａに当接せしめ、左右の両側枠部３０，３１の各右向き係止部５２，５２をそれぞれ、方立１の左向き支持部５１，５１に係止せしめるとともに、上下の両枠部３２，３３の各下向き係止部６２，６２をそれぞれ、無目２の上向き支持部６１，６１に係止せしめて方立１および無目２に組付けてある。
【００４９】
また本実施形態の複合ガラス板３は、フレーム部材３Ｄが屋内側へ張り出してないため、複合ガラス板３の４隅を方立１および無目２の開口部Ｆの４隅に連結するガラス板側の位置決め部材たる第２の金具７Ｃが屋内側のガラス板３Ｂに設けてある。
第２の金具７Ｃは、垂直壁面７３および水平壁面７４の屋外側の端縁間を繋ぐように外壁面７８が形成してあり、外壁面７８が緩衝材を介してガラス板３Ｂに接着してある。そして位置決め部材７Ｃは、先の実施形態と同様に開口部Ｆ側の第１の金具７Ａに支えられ、これと連結してある。
【００５０】
本実施形態によれば、先の実施形態と同様の作用効果が得られる。更にフレーム部材３Ｄに右向き係止部５２、下向き係止部６２を一体に形成した分、構造の簡素化が図れる。
【符号の説明】
【００５１】
１  方立
２  無目
３  複合ガラス板(パネル部材)
３Ａ  屋外側のガラス板
３Ｂ  屋内側のガラス板
３Ｃ，３Ｄ  フレーム部材
３０，３１  左右の側枠部(パネル部材の左右の側縁)
３２  上枠部(パネル部材の上縁)
３３  下枠部(パネル部材の下縁)
４Ｂ  シーリング剤
５Ａ  水平支持具(水平方向係止部材)
５Ｂ  水平係止具(水平方向係止部材)
５１  左向き支持部(一方の水平方向係止部材)
５２  右向き係止部(他方の水平方向係止部材)
６Ａ  垂直支持具(垂直方向係止部材)
６Ｂ  垂直係止具(垂直方向係止部材)
６１  上向き支持部(一方の垂直方向係止部材)
６２  下向き係止部(他方の垂直方向係止部材)
７Ａ  第１の金具（開口部側の金具、位置決め部材）
７Ｂ，７Ｃ  第２の金具(パネル部材側の金具、位置決め部材)
７０，７３  垂直壁面
７１，７４  水平壁面
７２，７５  内壁面
７６１  左右調整ネジ部材（ピン部材）
７６２  上下調整ネジ部材（ピン部材）
７６３  第１の屋内外調整ネジ部材（ピン部材）
７６４  第２の屋内外調整ネジ部材（ピン部材）
７７  タッピングスクリュウ（連結ネジ部材）
Ｆ  開口部
【図１】
0005192534.tif 000002
【図２】
0005192534.tif 000003
【図３】
0005192534.tif 000004
【図４】
0005192534.tif 000005
【図５】
0005192534.tif 000006
【図６】
0005192534.tif 000007
【図７】
0005192534.tif 000008
【図８】
0005192534.tif 000009
【図９】
0005192534.tif 000010